(57)【要約】  表面洗浄装置（１０）用ブラシロール（６０、９０、１２０、１５０）は、軸線（Ｘ）を画定し、対向するブリストル支持体（７０、１０２、１３０、１６０）と、該対向するブリストル支持体（７０、１０２、１３０、１６０）間のシュラウド表面（７４、１３４、１３８、１６４、１６８）とを有するブラシダボ（６２、９２、１２２、１５２）と、ブリストル支持体（７０、１０２、１３０、１６０）から突出する複数のブリストル（７２、１０４、１３２、１６２）とを含む。該シュラウド表面（７４、１３４、１３８、１６４、１６８）は、外側コーナー（８８、１４８、１７８）において該シュラウド表面（７４、１３４、１３８、１６４、１６８）と交差する該ブリストル支持体（７０、１０２、１３０、１６０）間に延在する、対向する凸状湾曲面（８６、１３８、１６８）を含む。【選択図】図１０
2021510329.tif 000002
【特許請求の範囲】
【請求項１】
電気掃除機（１０）であって、
アジテーターチャンバー（３８）と、該アジテーターチャンバー（３８）と流体連通する吸引ノズル開口部（４２）とを備える基部（１４）と、
該基部（１４）に旋回可能に取り付けられ、サイクロン分離器（２０）を備えるサイクロン収集システム（１８）を支持する主支持セクション（１６）を備える直立本体（１２）と、
該サイクロン収集システム（１８）と流体連通する吸引源（３６）と、
中心回転軸（Ｘ）の周りの回転運動のために該アジテーターチャンバー（３８）内に配置されたブラシロール（６０、９０、１２０、１５０）と、
を備え、
該ブラシロール（６０、９０、１２０、１５０）は、
ブラシダボ（６２、９２、１２２、１５２）であって、該ブラシダボを貫通して長手方向に延在する該中心回転軸（Ｘ）の周りを回転するように取り付けられており、取り付け面（７８）を画定する対向するブリストル支持体（７０、１０２、１３０、１６０）と、該対向するブリストル支持体（７０、１０２、１３０、１６０）の間に延在する対向する凸状湾曲面（８６、１３８、１６８）を含むシュラウド表面（７４、１３４、１３８、１６４、１６８）と、を備える、ブラシダボと、
対向する各該ブリストル支持体（７０、１０２、１３０、１６０）に固定され、該取り付け面（７８）の１つから突出する複数のブリストルタフト（７６、１１０、１３６、１６６）と、を備え、
該取り付け面（７８）は、該凸状湾曲面（８６、１３８、１６８）と外側コーナー（８８、１４８、１７８）で交差している、電気掃除機（１０）。
【請求項２】
該対向するブリストル支持体（７０、１０２、１３０、１６０）は、該ブラシダボ（６２、９２、１２２、１５２）の周囲で該中心回転軸（Ｘ）に対して螺旋状に延在し、複数のブリストルタフト（７６、１１０、１３６、１６６）が、各ブリストル支持体（７０、１０２、１３０、１６０）に固定され、該取り付け面（７８）上で螺旋状に延在する列内に配置される、請求項１に記載の電気掃除機（１０）。
【請求項３】
該ブラシダボ（６２、９２、１２２、１５２）の外表面は、該対向するブリストル支持体（７０、１０２、１３０、１６０）と、該対向する凸状湾曲面（８６、１３８、１６８）からなる、請求項１に記載の電気掃除機（１０）。
【請求項４】
該ブラシダボ（６２、９２、１２２、１５２）は、第１の対称軸と、該第１の対称軸に直交する第２の対称軸とを備える、請求項１に記載の電気掃除機（１０）。
【請求項５】
該取り付け面（７８）は、該中心回転軸（Ｘ）に向かって該シュラウド表面（７４、１３４、１３８、１６４、１６８）よりも下方で内方に引っ込んでいる、請求項１に記載の電気掃除機（１０）。
【請求項６】
該取り付け面（７８）は、該外側コーナー（１４８、１７８）間に延在する凹状湾曲面（１４０、１７０）を有し、該ブリストルタフト（１３６、１６６）は、該外側コーナー（１４８、１７８）間の該凹状湾曲面（１４０、１７０）から突出する、請求項５に記載の電気掃除機（１０）。
【請求項７】
該ブリストルタフト（１６６）は、各ブリストルタフト（１６６）が該外側コーナー（１７８）から等距離にならないように、該凹状湾曲面（１７０）上で片寄らせられている、請求項６に記載の電気掃除機（１０）。
【請求項８】
該複数のブリストルタフト（１６６）の各々は、該ブリストルタフト（１６６）の中心を直交して延びる中心線軸（１８０）上にあり、該凹状湾曲面（１７０）の各々は、該凹状湾曲面（１７０）の中心を直交して延びる中心線軸（１８２）を画定し、１つのブリストルタフト（１６６）の該中心線軸（１８０）と、該関連する凹状湾曲面（１７０）の該中心線軸（１８２）とが、該ブラシダボ（１５２）の外側で鋭角（１８４）に交差する、請求項６に記載の電気掃除機（１０）。
【請求項９】
各ブリストルタフト（１６６）は、該外側コーナー（１７８）から等距離でないように、該ブリストルタフト（１６６）が該凹状湾曲面（１７０）上で片寄らせられている、請求項８に記載の電気掃除機（１０）。
【請求項１０】
該電気掃除機（１０）は、直立型電気掃除機、キャニスター型電気掃除機、スティック型電気掃除機、自律型電気掃除機、又は手持ち式電気掃除機のいずれかである、請求項１に記載の電気掃除機（１０）。
【請求項１１】
電気掃除機（１０）用ブラシロール（６０、９０、１２０、１５０）であって、
ブラシダボ（６２、９２、１２２、１５２）を長手方向に貫通する中心回転軸（Ｘ）を中心として回転するように取り付けられている該ブラシダボ（６２、９２、１２２、１５２）であって、取り付け面（７８）を画定する対向するブリストル支持体（７０、１０２、１３０、１６０）と、該対向するブリストル支持体（７０、１０２、１３０、１６０）の間に延在する対向する凸状湾曲面（８６、１３８、１６８）を含むシュラウド表面（７４、１３４、１３８、１６４、１６８）と、を備える、ブラシダボと、
該対向するブリストル支持体（７０、１０２、１３０、１６０）のそれぞれに固定され、該取り付け面（７８）の１つから突出する複数のブリストルタフト（７６、１１０、１３６、１６６）と、
を備え、
該取付け面（７８）は、該凸状湾曲面（８６、１３８、１６８）と外側コーナー（８８、１４８、１７８）で交差している、電気掃除機（１０）用ブラシロール（６０、９０、１２０、１５０）。
【請求項１２】
該対向するブリストル支持体（７０、１０２、１３０、１６０）は、該ブラシダボ（６２、９２、１２２、１５２）の周囲で該中心回転軸（Ｘ）に対して螺旋状に延在し、複数のブリストルタフト（７６、１１０、１３６、１６６）は、各ブリストル支持体（７０、１０２、１３０、１６０）に固定され、該取り付け面（７８）上で螺旋状に延在する列内に配置される、請求項１１に記載の ブラシロール（６０、９０、１２０、１５０）。
【請求項１３】
該複数のブリストルタフト（７６、１１０、１３６、１６６）は、該ブラシダボ（６２、９２、１２２、１５２）上に直線状、傾斜状、または螺旋状の内の１つのパターンで配置される、請求項１１に記載のブラシロール（６０、９０、１２０、１５０）。
【請求項１４】
該ブラシダボ（６２、９２、１２２、１５２）の外表面は、該対向するブリストル支持体（７０、１０２、１３０、１６０）及び該対向する凸状湾曲面（８６、１３８、１６８）から成る、請求項１１に記載のブラシロール（６０、９０、１２０、１５０）。
【請求項１５】
該ブラシダボ（６２、９２、１２２、１５２）は、第１の対称軸と、該第１の対称軸に直交する第２の対称軸とを備える、請求項１１に記載のブラシロール（６０、９０、１２０、１５０）。
【請求項１６】
該取り付け面（７８）は、該中心回転軸（Ｘ）に向かって該シュラウド表面（７４、１３４、１３８、１６４、１６８）より下に、内方に引っ込んでいる、請求項１１に記載のブラシロール（６０、９０、１２０、１５０）。
【請求項１７】
該取り付け面（７８）は、該外側コーナー（１４８、１７８）間に延在する凹状湾曲面（１４０、１７０）を含み、該ブリストルタフト（１３６、１６６）は、該外側コーナー（１４８、１７８）間の該凹状湾曲面（１４０、１７０）から突出する、請求項１６に記載のブラシロール（１２０、１５０）。
【請求項１８】
各ブリストルタフト（１６６）が該外側コーナー（１７８）から等距離でないように、該ブリストルタフト（１６６）が該凹状湾曲表面（１７０）上で片寄らせられている、請求項１７に記載のブラシロール（１５０）。
【請求項１９】
該複数のブリストルタフト（１６６）の各々は、該ブリストルタフト（１６６）の中心を直交して延びる中心線軸（１８０）上にあり、また該凹状湾曲面（１７０）の該各々は、該凹状湾曲面（１７０）の該中心を直交して延びる中心線軸（１８２）を画定し、さらに１つのブリストルタフト（１６６）の該中心線軸（１８０）と、該関連する凹状湾曲面（１７０）の該中心線軸（１８２）とが、該ブラシダボ（１５２）の外側に鋭角（１８４）で交差する、請求項１７に記載のブラシロール（１５０）。
【請求項２０】
各ブリストルタフト（１６６）が該外側コーナー（１７８）から等距離でないように、該ブリストルタフト（１６６）が該凹状湾曲面（１７０）上で片寄らせられている、請求項１９に記載のブラシロール（１５０）。
【発明の詳細な説明】
【技術分野】
【０００１】
（関連出願の相互参照）
本出願は、２０１８年１月１０日に出願された米国特許出願第１５／８６６，９７８号の利益を主張するものである。これは２０１５年１２月１１日に出願された米国特許出願第１４／９６６，１３９号の一部継続出願であり、２０１４年１２月１２日に出願された米国仮特許出願第６２／０９０，９５９号の利益を主張するものである。そして、これらすべてが引用により本明細書の一部をなす。
【背景技術】
【０００２】
電気掃除機には、被洗浄面上でデブリを攪拌し、デブリを電気掃除機により容易に取り込むためのアジテーターを含めることができる。場合によっては、アジテーターは、基部またはフロアノズル内で回転するブラシロールを含む。このようなブラシロールを、例えば、モーター、タービンファン、または機械的なギアトレインによって回転駆動することができる。ブラシロールは、一般的には、ダボから半径方向に延在する複数のブリストルタフトを有するほぼ円筒形のダボを有する。作動中、被洗浄面上のデブリはブラシロールによって掃き寄せられる。その際に、毛髪などの細長いデブリがブラシロールに巻き付いてしまい、利用者がブラシロールから毛髪を手で引っ張ったり、切断したりして除去しなければならないことがある。
【発明の概要】
【０００３】
本開示の一態様によれば、電気掃除機用ブラシロールは、ブラシダボを貫通して長手方向に延びる中心回転軸の周りを回転可能に取り付けられるように構成され、かつ取り付け面を画定する対向するブリストル支持体と、対向するブリストル支持体の間に延在する対向する凸状湾曲面を含むシュラウド表面と、を有するブラシダボと、対向するブリストル支持体のそれぞれに固定され及び取り付け面の１つから突出する複数のブリストルタフトとを含み、前記取り付け面は、外側コーナーで凸状湾曲面と交差する。
【図面の簡単な説明】
【０００４】
【図１】従来の電気掃除機用ブラシロールの概略断面図である。
【図２】動作中のブラシロールを示す図１と同様の図である。
【図３】明瞭にするために一部が切り取られた、本開示の第１の態様による電気掃除機の斜視図である。
【図４】図３の電気掃除機用のブラシロールの斜視図である。
【図５】図４のＶ−Ｖ線を通るブラシロールの断面図である。
【図６】動作中のブラシロールを示す図５と同様の図である。
【図７】動作中のブラシロールを示す図５と同様の図である。
【図８】本開示の第２の態様によるブラシロールの斜視図である。
【図９】図８のＩＸ−ＩＸ線で見たブラシロールの断面図である。
【図１０】本開示の第３の態様によるブラシロールの斜視図である。
【図１１】図１０のラインＸＩ−ＸＩを通るブラシロールの断面図である。
【図１２】本開示の第４の態様によるブラシロールの斜視図である。
【図１３】図１２のＸＩＩＩ−ＸＩＩＩ線を通るブラシロールの断面図である。
【発明を実施するための形態】
【０００５】
本開示は、電気掃除機に関し、特に、回転可能なブラシロールを有する電気掃除機または電気掃除機用付属ツールに関する。特に、本開示は、ヘアラップ（髪の巻き付き）を低減する改良されたブラシロールの設計に関する。本開示の一態様によれば、ブラシロールは、ダボ（dowel）と、該ダボから突出する複数のブリストルと、ヘアラップを最小化するために該ブリストルに対して位置決めされたシュラウド表面とを含む。
【０００６】
本開示の別の態様によれば、ブラシロールは、ダボと、該ダボから突出する複数のブリストルと、該ブリストルに対して位置決めされて、毛髪が該ダボから切断されることを可能にする切断チャネルとを含む。
【０００７】
本開示の別の態様によれば、ブラシロールは、ヘアラップを最小化するためにブリストルタフトが取り付けられるかまたは固定される凹状湾曲タフティング表面を含む。
【０００８】
本開示のさらに別の態様によれば、ブラシロールは、ブラシロールを回転させるのに必要な駆動トルクを低減するために鋭角に房状分岐する、片方に寄せられ広がったブリストルタフトを含む。
【０００９】
ブラシロールは、直立型電気掃除機、キャニスター型電気掃除機、スティック型電気掃除機、自律型またはロボット型電気掃除機、または手持ち型電気掃除機、またはそのための付属ツールを含む様々な電気掃除機と共に使用することができる。さらに、電気掃除機または付属ツールは、流体を散布し、および／または流体を抽出するようにさらに構成することができ、流体は、例えば液体または蒸気であってもよい。本明細書中で用いる「表面洗浄装置」という用語は、明示的に記載しない限り、電気掃除機および電気掃除機用の付属ツールの両方を含む。
【００１０】
図１は、従来の電気掃除機用ブラシロール２００の概略断面図である。ブラシロール２００は、ダボ（dowel）２０２を通って長軸方向に延びる中心回転軸Ｘの周りを回転するように取り付けられるよう構成されたブラシダボ２０２を含む。ダボ２０２は、円筒形コア２０４と、コア２０４から突出する１つ以上のブリストル支持体２０６とを含む。複数のブリストル（ブラシ毛）２０８が、ブリストル支持体２０６から突出する。ブリストル２０８は、一連の分離したタフトまたは連続したストリップとして提供され得る。ブリストル２０８は、ダボ上に、直線状、傾斜状、螺旋状、またはこれらの組み合わせを含む様々なパターンで配置することができる。
【００１１】
図１〜図２は、ブラシロール２００の動作例を示す。動作中、ブラシロール２００は、矢印Ｒで示す方向に回転駆動されるように構成されている。ブリストル２０８が被洗浄面に接触すると、ブリストル２０８が撓む。被洗浄面上のデブリには、塵や埃、髪の毛なども含まれるが、これらに限定されるものではない。これらのデブリはブラシロール２００によって掃き寄せられる。本例では、簡単な説明のために、表面上の単一の毛髪Ｈが、表面に接触したブリストル２０８により、図１のブラシロール２００に拾い上げられるものとして示されている。ブリストル２０８は、ブラシロール２００が回転するにつれて、毛髪Ｈを表面から持ち上げてダボ２０２の周囲に運ぶ。
【００１２】
場合によっては、電気掃除機の吸引力によって、毛髪Ｈはブリストル２０８から引き抜かれることがある。他の場合には、毛髪Ｈを保持しているブリストル２０８がダボ２０２によって決定される回転経路に沿って続いていると、図２に示されるように、毛髪Ｈは、ダボ２０２の周囲に巻き付くことがある。
【００１３】
毛髪Ｈを保持しているブリストル２０８が再び被洗浄面と接触すると、毛髪Ｈは、少なくとも１本の毛髪Ｈが、少なくとも１本のブリストル２０８に付着している付着点Ｐから延びる。側面から見たとき、被洗浄面は表面ラインＳを画定し、偏向されたブリストル２０８は、付着点Ｐにおいて偏向されたブリストル２０８により画定される曲線に対する接線である偏向ブリストルラインＹを画定する。偏向角度Ａ１は、毛の偏向ラインＹと表面ラインＳとの交点において毛の偏向ラインＹに直交するラインであるラインＺと表面ラインＳとにより形成される内角により画定される。毛髪Ｈは、毛髪Ｈがブリストル２０８から延びるまたはブリストル２０８から離れる付着点Ｐから、毛髪Ｈにより画定されるヘアラップ・ラインＷを画定する。場合によっては、ブリストル２０８から直接延びる毛髪Ｈの部分が、ダボ２０２の周りで湾曲する前にほぼ直線的に延びることがあり、その結果、ヘアラップ・ラインＷが毛髪Ｈの直線的な部分に沿うこととなり得る。ヘアラップ角度Ａ２は、表面ラインＳとヘアラップ・ラインＷとによって形成される内角によって定義される。毛髪Ｈは、ブリストル２０８によって様々な場所で捕らえられ得るが、毛髪Ｈがブリストルに付着する場所にかかわらず、巻き付いた毛髪Ｈは、ブリストル２０８からブラシロール回転方向Ｒと反対の方向に延びる少なくとも一部を有することに留意されたい。
【００１４】
ヘアラップ角度Ａ２が偏向角度Ａ１よりも大きいブラシロール設計（すなわち、Ａ２＞Ａ１）の場合、該毛髪はブリストル２０８の根元に向かって引っ張られ、ダボ２０２の周囲にきつく巻きつけられることが判明している。この場合、電気掃除機の吸引力ではブラシロール２００から該毛髪を引き抜くことができず、利用者は手作業で該毛髪を除去しなければならない。
【００１５】
本開示の態様には、ヘアラップ角度Ａ２が偏向角度Ａ１以下（すなわち、Ａ２≦Ａ１）であるブラシロール設計が含まれる。このようなブラシロールは、作動中のヘアラップを防止またはその量を大幅に減少させる。 
【００１６】
図３は、本開示の第１の態様による直立型の形態の電気掃除機１０の斜視図である。本明細書では直立型電気掃除機として示され、また参照されるが、電気掃除機１０は代替的に、スティック型電気掃除機や、自律型またはロボット型電気掃除機、手持ち型電気掃除装置として、またはフロアノズルを有する装置として、もしくはキャニスターや他のポータブルデバイスにバキュームホースによって接続される手持ち器具を有する装置として構成することができる。さらに、電気掃除機１０は、流体散布機能および／または抽出機能を有するように構成することができる。
【００１７】
図面に関連する記載では、「上」、「下」、「右」、「左」、「後方」、「前方」、「鉛直」、「水平」という用語およびそれらの派生語は、電気掃除機の後部を画定する電気掃除機の後方にいる利用者の観点から図３において方向付けられているものとして本開示に関連するものとする。しかしながら、本開示の態様は、明確に異なる規定がある場合を除き、種々の代替的な方向付けを想定することができることを理解されたい。
【００１８】
図示のように、電気掃除機１０は、下方の基部１４に旋回可能に取り付けられた直立本体１２を含む。直立本体１２は一般に、後の処理のために作用空気流から汚染物質を分離して収集する収集システム１８を支持する主支持セクション１６を含む。本明細書に図示されている１つの従来の構成では、収集システム１８は、作用空気流から汚染物質を分離するためのサイクロン収集システムと考えることができるサイクロン分離器２０と、分離された汚染物質をサイクロン分離器２０から受け取って収集するための取り外し可能なダートカップ２２とを含むことができる。サイクロン分離器２０は、単一のサイクロン分離ステージを有することができ、また複数のステージを有することもできる。別の従来の構成では、収集システム１８は、一体的に形成されたサイクロン分離器とダートカップとを含むことができ、ダートカップは、汚染物を廃棄するために底部開口のダートドアを備えている。収集システム１８の他の形態では、遠心分離器またはバルクセパレーターのように使用され得ることを理解されたい。さらに別の従来の構成では、収集システム１８は、フィルターバッグを含むことができる。電気掃除機１０はまた、収集システム１８の上流または下流に１つ以上の追加のフィルターを備えることができる。
【００１９】
直立本体１２は、図３に示す直立した収納位置とリクライニングされた使用位置（不図示）との間の移動のために、基部１４に旋回可能に取り付けられている。電気掃除機１０は、直立本体１２を収納位置から使用位置へ選択的に解放するために、基部１４に旋回可能に取り付けられたペダル２４のような戻り止め機構を備えることができる。このような戻り止めペダル２４の詳細は当技術分野で公知であり、本明細書ではさらに詳細に説明しない。
【００２０】
直立本体１２はまた、主支持セクション１６から上方に延びる細長いハンドル２６を有し、このハンドルは、一端に、電気掃除機１０を被洗浄面上で巧みに操作するために使用可能なハンドグリップ２８を備えている。モーターキャビティ３０が、主支持セクション１６の下端に形成され、収集システム１８と流体連通されキャビティ内に配置されたモーター／ファンアセンブリ３６のような従来の吸引源を含む。電気掃除機１０はまた、モーター／ファンアセンブリの上流または下流に１つ以上の追加フィルターを備えることができる。
【００２１】
図３において、電気掃除機１０の下部は、基部１４の特徴を示すために切り取られている。基部１４は、下部ハウジング３４と結合し、それらの間に部分的に囲まれた空間を形成する上部ハウジング３２を含むことができる。ブラシロール６０を収容するために下部ハウジング３４の前方部分にアジテーターチャンバー３８を備えることができる。吸引ノズル開口４２が、下部ハウジング３４に形成され、アジテーターチャンバー３８および収集システム１８と流体連通している。ホイール４４は、被洗浄面上で電気掃除機１０を巧みに操作するために、基部１４上に備えることができる。
【００２２】
ブラシロール６０は、中心回転軸Ｘの周りでの回転運動のためにアジテーターチャンバー３８内に配置されている。単一のブラシロール６０が図示されている。しかしながら、二重回転ブラシロールを使用することは、本開示の範囲内である。さらに、ブラシロール６０が、アジテーターチャンバー３８および下部ハウジング３４に対して鉛直位置に固定または浮動されてチャンバー３８内に取り付けられることも、本開示の範囲内である。
【００２３】
ブラシロール６０は、モーターキャビティ３０内のモーター／ファンアセンブリ３６と動作可能に連結され、これにより駆動される。モーター／ファンアセンブリ３６は、モーターシャフト４６を含むことができる。このモーターシャフト４６は、被洗浄面と実質的に平行に方向付けられ、またモーターキャビティ３０から基部１４の後部に突出している。駆動ベルト４８は、モーターシャフト４６の回転運動をブラシロール６０に伝達するために、モーターシャフト４６をブラシロール６０に動作可能に連結する。代替的に、別個の専用アジテーター駆動モーター（不図示）を基部１４内に設けて、ブラシロール６０を駆動することもできる。
【００２４】
基部１４は、被洗浄面に対する吸引ノズル開口４２の高さを調整するための任意の吸引ノズル高さ調整機構をさらに含むことができる。該調整機構を作動させるための回転可能なノブ５４は、基部１４の外部に設けることができる。別の態様では、吸引ノズル高さ調整機構を省略することができる。
【００２５】
作動中、電気掃除機１０は、デブリを含んだ空気を基部１４から収集システム１８に吸い込み、ここで、デブリは、塵、埃、毛髪、および他のデブリを含み但しこれらに限定されるものではなく、モーター／ファンアセンブリ３６によって生成される作用空気流から実質的に分離される。モーター／ファンアセンブリ３６の回転するモーターシャフト４６は、それらの間で動作可能に接続された駆動ベルト４８を介してブラシロール６０を回転させる。代替的に、別個の専用アジテーター駆動モーターがブラシロール６０を回転させることもできる。ブラシロール６０が回転すると、ブリストルが被洗浄面を横切って掃除し、モーター／ファンアセンブリ３６によって生成されデブリを収集システム１８に送り込む作用空気流内に、デブリを解放して進ませる。次に、作用空気流は、電気掃除機１０から排出される前に、モーターキャビティ３０を通してモーター／ファンアセンブリ３６を通過する。収集システム１８は、定期的にデブリを空にすることができる。
【００２６】
図４は、ブラシロール６０の斜視図である。ブラシロール６０は、ブラシダボ６２を通って長軸方向に延びる中心回転軸Ｘの周りを回転するように取り付けられるよう構成されたブラシダボ６２を含む。ブラシダボ６２は、ダボ６２の中心を通って延び、その周りでブラシロール６０が回転する中心回転軸Ｘを画定する細長いシャフト６４上に取り付けられている。図示のブラシロール６０は、矢印Ｒによって示される方向に回転して駆動されるように構成されている。ベアリング６６は、シャフト６４の両端に取り付けられている。作動中、ダボ６２は、ベアリング６６上のシャフト６４の周りを回転する。ベルト係合面６８は、ダボ６２の一方の端部付近でその周囲に延在し、ベルト４８（図３）と連絡する。ベルト係合面６８はプーリーを含むことができる。
【００２７】
ブラシダボ６２は、さらに、ダボ６２内に突出する１つ以上のブリストル支持体７０を含む。ブリストル７２は、ブリストル支持体７０から突出し、一連の個別のタフト（房）として、または連続したストリップとして提供され得る。ブリストル７２は、ダボ６２上に、直線状、傾斜状、螺旋状、またはこれらの組み合わせを含む様々なパターンで配置することができる。
【００２８】
ブラシロール６０は、巻き付く髪のためのシュラウド表面７４を設けることによって、作動中のヘアラップを防止するかまたはその量を大幅に減少させるように設計されている。シュラウド表面７４は、以下にさらに詳細に説明するように、より浅いヘアラップ角度を確立するために、ブリストル７２に隣接して設けられる。
【００２９】
図示の態様では、２つのブリストル支持体７０およびブリストルタフト７６の２つの対応する列が、ダボ６２上に設けられており、ダボ６２の円周の周りにほぼ螺旋状に延在する。各タフト７６は、複数のブリストル６２を有している。ブラシダボ６２の外表面は、シュラウド表面７４を画定する、ここでは凸状湾曲面８６として示される対向する湾曲部と、タフト７６が突出するブリストル支持体７０の取付け表面７８を画定する対向する平坦部とを含む。
【００３０】
図５は、図４のＶ−Ｖ線におけるブラシロール６０の断面図である。ブラシダボ６２は、ダボ６２の端から端までの部分に沿って延在する中空内部８０を画定することができる。シャフト６４は、中空内部８０内に収容される。ブリストル支持体７０は、取り付け表面７８からダボ６２の中空内部８０内に突出するブリストル支持台８２をさらに含む。ブリストルタフト７６のためのブリストルホール８４は、取り付け面７８に形成することができ、支持台８２内に少なくとも部分的に延在することができる。
【００３１】
１つの非限定的な例では、図５に示されるブラシロール６０を製造するために、ダボ６２の外側の輪郭は、二つ割り型を使用して形成することができ、一方、支持台８２を含むダボ６２の内部は、ねじ抜きコアを使用して内部を取り除くことができる。ブラシロール６０を二つ割り型で形成するためには、ブリストル支持体７０及びシュラウド表面７４は、抜取線のためにダボ６２の端から端までの部分に沿って１８０度またはそれ以下で延在するようにすることに留意されたい。ブリストルホール８４は、成形後にダボ６２にドリル加工してダボ６２内に形成することができ、またダボ６２と一体的に成形することもできる。ブリストルタフト７６は、ブリストル７２をブリストルホール８４に押し込み、例えばステープル、ウェッジ、またはアンカーのような、しかしこれらに限定されない締結具（不図示）を用いてブリストル７２を固定することによって、ダボ６２に組み付けることができる。ダボ６２は、ポリプロピレン、アクリロニトリル・ブタジエン・スチレン（ＡＢＳ）、またはスチレンなどのポリマー材料を含むことができる。ブリストル７２は、例えば、ナイロンまたはポリエステルなどのポリマー材料を含んでもよく、これにより、通常動作中にブリストル７２が被洗浄面と接触したときに、屈曲および撓むことができる。他の製造方法を用いて、図５に示すブラシロール６０を製造することもできる。
【００３２】
上述のように、ブラシロール６０は、巻き付く髪のためのシュラウド表面７４を設けることによって、作動中にヘアラップを防止するかまたはその量を大幅に減少させるように設計される。図示の態様では、ブラシダボ６２は主直径Ｄ１を規定し、これはダボ６２のシュラウド表面７４を囲むことができる最小の円によって規定される直径である。ブリストルタフト７６は、主直径Ｄ１よりもわずかに大きいトリム直径Ｄ２を規定する。平坦な取り付け面７８は、主直径Ｄ１よりも下に、従ってシュラウド面７４よりも下に引っ込んでおり、これにより、平坦な取り付け面７８上のブリストル７２が被洗浄面に接触する際に、ブリストル７２の先端又はその付近に毛髪を保持しつつ、撓むことができる。例えば、ブリストル支持体７０は、ブラシダボ６２の副直径Ｄ３を規定する。副直径Ｄ３は、ブリストル支持体７０内のブリストルタフト７６のタフト位置で規定することができる。副直径Ｄ３は、主直径Ｄ１およびトリム直径Ｄ２より小さくすることができる。図示の例では、副直径Ｄ３は、ブリストルタフト７６のタフト位置で、ブリストル支持体７０の両方の取り付け面７８に接触することができる最小円によって規定される直径である。ブリストル支持体７０およびシュラウド表面７４を有するブラシロールのための他の構成としては、シュラウド表面７４がＤ１を画定し、ブリストル支持体７０がＤ３を画定する限り、他の方法で画定される主直径Ｄ１および副直径Ｄ３を有することも可能である。
【００３３】
図５に示すブラシダボ６２の外表面は、シュラウド表面７４を画定する凸状湾曲面８６が、取り付け表面７８を画定する対向する平坦部分と交差する外側コーナー８８をさらに含む。外側コーナー８８は、２つの収束面７８、８６が交わる場所である。さらに、図５に示すブラシダボ６２は、副直径Ｄ３が画定されるところにほぼ沿って延びる第１の対称軸と、図５にトリム直径Ｄ２が示されている概略的な場所である、第１の対称軸に直交する第２の対称軸と、を含む複数の軸に関して対称的である。
【００３４】
図６〜図７は、ブラシロール６０の典型的な動作を示す。ブラシロール６０は、ヘアラップ角度Ａ２が偏向角度Ａ１以下（すなわち、Ａ２≦Ａ１）となるように設計される。作動中、ブラシロール６０はＲ方向に回転し、塵、埃および毛髪などに限られない被洗浄面上のデブリがブラシロール６０によって掃き寄せられる。本実施例では、簡単な図解のために、該面上の単一の毛髪Ｈは、該面と接触しているブリストルタフト７６により図６においてブラシロール６０によって拾い上げられているものとして示されている。ブリストルタフト７６は、ブラシロール６０が回転するにつれて、該面から毛髪Ｈをダボ６２の周りに持ち上げる。場合によっては、電気掃除機の吸引力によって、毛髪Ｈがブラシロール６０から引き抜かれることとなる。他の場合には、毛髪Ｈを保持するブリストルタフト７６が、ダボ６２によって決定される回転経路に沿って続いていることで、毛髪Ｈは、図７に示されるように、付着点Ｐからブリストルタフト７６まで及びダボ６２の周囲に延在しシュラウド表面７４を包むこととなり得る。ヘアラップ角度Ａ２が浅いので、毛髪Ｈはブリストルタフト７６の先端またはその近傍にとどまり、ブリストル７２の根元に向かって引っ張られることも、またダボ６２にきつく巻きつくこともない。毛髪Ｈを保持しているブリストルタフト７６が、再び被洗浄面に接触すると、被洗浄面との摩擦接触とその結果生じるブリストルタフト７６の撓みによって、毛髪Ｈがブリストルタフト７６から引き抜かれることとなり得る。毛髪Ｈが該面に戻されることとなるが、電気掃除動作を継続することにより、同じ毛髪Ｈをブラシロール６０に再び拾い上げ、電気掃除機の吸引力でブラシロール６０から引き抜くことができる。また、ブラシロール６０は、毛髪Ｈが吸引力によってブラシロール６０から引き抜かれる前、または毛髪を被洗浄面上に戻す前に、１回以上回転され得ることに留意されたい。
【００３５】
一例では、ブラシロール６０のヘアラップ角度Ａ２は、ブリストル偏向角度Ａ１の約半分であり得る。副直径Ｄ３を主直径Ｄ１よりも小さく維持することは、トリム直径Ｄ２が主直径Ｄ１よりもわずかに大きく維持され、またヘアラップを防止することができる、というように実質的にブリストルの先端をシュラウド表面７４の近くに引っ張ることとなる。もし、ヘアラップ角度Ａ２が浅くなりすぎると、実質上トリム直径Ｄ２に対してシュラウド表面７４の主直径Ｄ１が大きくなることとなり、シュラウド表面７４は、ブリストルタフト７６が被洗浄面と係合することを妨げることとなり得る。
【００３６】
図８は、本開示の第２の態様によるブラシロール９０の斜視図である。ブラシロール９０は、上述のように、図３の電気掃除機１０と共に、または他の電気掃除機および付属ツールと共に使用することができ、巻き付いた毛髪を切断するための二次的装置を収容するように設計される。１つの態様では、二次的装置は、はさみまたは他の手持ち式切断器具を含む。ブラシロール９０は、ダボ９２を通って長軸方向に延びる中心回転軸Ｘの周りを回転するように取り付けられるよう構成されたブラシダボ９２を含む。ブラシダボ９２は、ダボ９２の中心を通って延び、その周りでブラシロール９０が回転する中心回転軸Ｘを画定する細長いシャフト９４上に取り付けられている。図示のブラシロール９０は矢印Ｒに示される方向に回転駆動されるように構成されている。シャフト９４の両端にはベアリング９６が取り付けられている。作動中、ダボ９２は、ベアリング９６上のシャフト９４の周りを回転する。ベルト係合面９８は、ダボ９２の一方の端部付近でその円周の周囲に延在し、ベルト４８（図３）などのベルトと連絡することができる。ベルト係合面９８はプーリーを含むことができる。
【００３７】
ブラシダボ９２はさらに、円筒形コア１００と、コア１００から突出する１つ以上のブリストル支持体１０２とを含む。ブリストル１０４は、ブリストル支持体１０２から突出し、一連の個別のタフトまたは連続したストリップとして提供され得る。ブリストル１０４は、ダボ９２上に、直線状、傾斜状、螺旋状、またはこれらの組み合わせを含む様々なパターンで配置することができる。
【００３８】
ブラシロール９０は、ブリストル１０４に隣接して少なくとも１つの直立したリブ１０６を設けることによって、巻き付いた毛髪を切断するための二次的装置を収容するように設計されている。このリブ１０６は、ダボ９２の周囲に巻き付いた毛髪を切断するために、はさみまたは別の切断器具をその中に挿入することができるチャネル１０８を画定する。
【００３９】
図示の態様では、２つのブリストル支持体１０２の列と、それぞれが複数のブリストル１０４を含む２つの対応するブリストルタフト１１０の列が、ダボ９２上に設けられる。列は、ダボ９２の円周の周囲にほぼ螺旋状に延在する。さらに、図８では１組のみが見えるが、２組の対向する直立したリブ１０６がダボ９２から放射状に突出している。リブ１０６は、ダボ９２のコア１００に沿って軸上に１つ以上の列で延在することができ、チャネル１０８を画定することとなる。あるいは、チャネル１０８は、１つの直立したリブ１０６とブリストル支持体１０２との間に形成することができる。
【００４０】
円周方向の間隙１１２は、隣接するブリストル支持体１０２およびリブ１０６を分離するためにダボ９２の周囲に延在することができ、さらに、回転するブラシロール９０が、カーペットが吸引ノズル開口４２（図４）内に引き込まれることを防止する下部ハウジング３４上のリブを通過することを可能にする。
【００４１】
図９は、図８のＩＸ−ＩＸ線に沿ったブラシロール９０の断面図である。ブラシダボ９２は、ダボ９２の端から端までの部分に沿って延在する中空内部１１４を画定することができる。シャフト９４は、中空内部１１４内に収容される。ブリストルタフト１１０のためのブリストルホール１１６は、ブリストル支持体１０２内に形成することができる。
【００４２】
１つの非限定的な例では、図９に示すブラシロール９０を製造するために、ブリストル支持体１０２およびリブ１０６を含むダボ９２の外側の輪郭は、二つ割り型を使用して形成することができ、一方、ダボ９２の内部は、ねじ抜きコアを使用して内部を取り除くことができる。リブ１０６は、抜取線に方向付けられている。ブリストルホール１１６は、成形後にダボ９２にドリル加工してダボ９２内に形成することができ、またダボ９２と一体的に成形することもできる。ブリストルタフト１１０は、ブリストル１０４をブリストルホール１１６に押し込み、例えばステープル、ウェッジ、またはアンカーのような、しかしこれらに限定されない締結具（不図示）を用いてブリストル１０４を固定することによって、ダボ９２に組み付けることができる。ダボ９２は、ポリプロピレン、ＡＢＳ、またはスチレンなどのポリマー材料を含むことができる。ブリストル１０４は、例えば、ナイロンまたはポリエステルなどのポリマー材料を含んでもよく、これにより、通常動作中にブリストル１０４が被洗浄面と接触したときに、屈曲および撓むことができる。他の製造方法を用いて、図９に示すブラシロール９０を製造することもできる。
【００４３】
作動中、ブラシロール９０はＲ方向に回転し、塵、埃および毛髪などに限られない被洗浄面上のデブリがブラシロール９０によって掃き寄せられる。場合によっては、毛髪は、電気掃除機の吸引力によってブラシロール９０から引き抜かれるよりもむしろ、ダボ９２の周りに巻き付くことがある。この場合、ハサミまたは他の切断器具を、リブ１０６によって画定されたチャネル１０８内に挿入することができるため、これによりダボ９２の周りに巻き付けられた毛髪を切断することができる。
【００４４】
さらなる態様では、直立したリブ１０６の高さを増加させることにより、第１の態様で記載したように、直立したリブ１０６の先端によって画定される外周が、ヘアラップ角度Ａ２を最小にするようにシュラウド表面を形成することとなる。
【００４５】
図４〜図７のブラシロール６０は、さらに、図８〜図９のブラシロール９０と同様の方法で、巻き付いた毛髪を切断するための、はさみまたは他の手持ち式切断器具などの二次的装置を収容するように設計され得ることを理解されたい。１つの態様では、リブ１０６および／またはチャネル１０８はダボ６２に備えることができる。
【００４６】
図１０〜図１１は、本開示の第３の態様によるブラシロール１２０を示す。ブラシロール１２０は、上で説明したように図３の電気掃除機１０と共に、または他の電気掃除機および付属ツールと共に使用することができ、以下でさらに詳細に説明するように、平坦ではなく凹形のタフティング表面を有することによってブラシロール６０の第１の態様とは異なる。
【００４７】
ブラシロール１２０は、ダボ１２２を通って長軸方向に延びる中心回転軸Ｘの周りを回転するように取り付けられるよう構成されたブラシダボ１２２を含む。ブラシダボ１２２は、ダボ１２２の中心を通って延び、またその周りでブラシロール１２０が回転する中心回転軸Ｘを画定する細長いシャフト１２４上に取り付けられている。図示のブラシロール１２０は矢印Ｒ方向に回転駆動されるように構成されている。また、シャフト１２４の両端にはベアリング１２６が取り付けられている。作動中、ダボ１２２は、ベアリング１２６上のシャフト１２４の周りを回転する。ベルト係合面１２８は、一方の端部付近でダボ１２２の円周に延在し、ベルト４８（図３）のようなベルトと連絡可能である。ベルト係合面１２８はプーリーを含むことができる。
【００４８】
ブラシダボ１２２は、さらに、ダボ１２２内に突出する１つ以上のブリストル支持体１３０を含む。ブリストル１３２は、ブリストル支持体１３０から突出し、一連の個別のタフトまたは連続したストリップとして提供され得る。ブリストル１３２は、ダボ１２２上に、直線状、傾斜状、螺旋状、またはこれらの組み合わせを含む様々なパターンで配置することができる。
【００４９】
ブラシロール１２０は、巻き付く髪のためのシュラウド表面１３４を提供することによって、作業中のヘアラップを防止するか又はその量を大幅に減少させるように設計されている。シュラウド表面１３４は、より浅いヘアラップ角度を確立するためにブリストル１３２に隣接して設けられ、その利点はブラシロール６０の第１の態様に関して上述した。
【００５０】
図示の態様では、２つのブリストル支持体１３０および各々が複数のブリストル１３２を含むブリストルタフト１３６の２つの対応する列がダボ１２２上に設けられており、かつダボ１２２の円周の周りにほぼ螺旋状に延在する。ブラシダボ１２２の外面全体は、シュラウド表面１３４を画成する対向する凸状湾曲面１３８と、タフト１３６が突出するブリストル支持体１３０の取り付け面を画成する対向する凹状湾曲面１４０とを含む。
【００５１】
図１１は、図１０のＸＩ−ＸＩ線に沿ったブラシロール１２０の断面図である。ブラシダボ１２２は、ダボ１２２の端から端までの部分に沿って延在する中空の内部１４２を画定することができる。シャフト１２４は、中空内部１４２内に収容される。ブリストル支持体１３０は、凹状湾曲面１４０からダボ１２２の中空内部１４２内に突出するブリストル支持台１４４をさらに含む。ブリストルタフト１３６のためのブリストルホール１４６は、凹状湾曲面１４０に形成することができ、かつ支持台１４４内に少なくとも部分的に延在することができる。
【００５２】
１つの非限定的な実施例では、図１０〜図１１に示すブラシロール１２０を製造するために、ダボ１２２の外側輪郭は、二つ割り型を使用して形成することができ、一方、プラットフォーム１４４を含むダボ１２２の内部は、ねじ抜きコアを使用して内部を取り除くことができる。ブラシロール１２０を二つ割り型を使用して形成するために、ブリストル支持体１３０およびシュラウド表面１３４は、抜取線のためにダボ１２２の端から端までの部分に沿って、１８０度以下で延在するようにすることに留意されたい。ブリストルホール１４６は、成形後にダボ１２２内にドリル加工してダボ１２２に形成することができ、またダボ１２２と一体的に成形することもできる。ブリストルタフト１３６は、ブリストル１３２をブリストルホール１４６に押し込み、例えばステープル、ウェッジ、またはアンカーのような、しかしこれらに限定されない締結具（不図示）を用いてブリストル１３２を固定することによって、ダボ１２２に組み付けることができる。ダボ１２２は、例えばポリプロピレン、アクリロニトリルブタジエンスチレン（ＡＢＳ）またはスチレンなどのポリマー材料を含むことができる。ブリストル１３２は、例えば、ナイロンまたはポリエステルなどのポリマー材料を含んでもよく、これにより、通常動作中にブリストル１３２が被洗浄面と接触したときに、屈曲および撓むことができる。他の製造方法を用いて、図１０〜図１１に示すブラシロール１２０を製造することもできる。
【００５３】
凹状湾曲面１４０は、２つの集束面１３８、１４０が交わる外側コーナー１４８において凸状湾局シュラウド面１３８と交差する。さらに、図１１に示すブラシダボ１２２は、副直径Ｄ３が画定されるところにほぼ沿って延びる第１の対称軸線と、図１１においてトリム直径Ｄ２が示されるところの、第１の対称軸線に直交する第２の対称軸線とを含む複数の軸線に関して対称である。
【００５４】
上述のように、ブラシロール１２０は、巻き付く毛髪のためのシュラウド表面１３４を提供することによって、作動中にヘアラップを防止するかまたはその量を大幅に減少させるように設計される。例えば、凹状湾曲面１４０は、主直径Ｄ１よりも下に、従ってシュラウド表面１３４よりも下に凹んでおり、これにより、凹状湾曲面１４０上のブリストル１３２が被洗浄面に接触する際に、ブリストル１３２の先端又はその付近に毛髪を保持しながら、撓むことが可能になる。
【００５５】
図示の態様では、ブラシロール１２０は、ブラシロール６０の第１の態様（図５）のような平坦な表面７８ではなく、凹状湾曲面１４０によって画定されるブリストル支持体１３０をさらに含む。ブラシロール１２０のタフティング表面を画定する凹状湾曲面１４０、すなわちブリストルタフト１３６が取り付けられるかまたは固定される表面を有することは、改善されたヘアラップの減少を提供することができる。凹状湾曲面１４０は、本明細書では隆起したエッジ１４８として示される、外側コーナー１４８において凸状シュラウド面１３８と交差し、これにより、毛髪がブリストルタフト１３６の付け根でくさび状にならないようにすることができる。平らな取り付け面では、髪は取り付け面を横切って、ブリストルタフトの付け根の方へ、または、それに向かってきつく引っ張られる。しかしながら、トラフ形状のタフティング表面を画定する凹状湾曲面１４０を伴うことにより、隆起エッジ１４８を架橋する毛髪が、毛髪をタフト１３６の付け根から離間させるギャップを形成するので、毛髪がタフト１３６の付け根でくさび状にされることを防止する。この説明の目的上、凹状湾曲面という用語は、中心回転軸Ｘに向かって内方に窪み、外側コーナー１４８から凹状のタフティング表面を形成する表面を指す。凹状湾曲面１４０は、図では対称な湾曲形状で示されているが、不均一かつ非対称な内側湾曲凹部もまた考えられる。さらに、例えば、中心回転軸Ｘに向かって内方に窪む平面タフティング表面またはＶ字型タフティング表面などの非円弧状の凹部も考えられる。
【００５６】
ブラシロール１２０の図示の態様は、更に、隆起エッジ１４８から等距離に配置されたブリストルタフト１３６を有し、凹状湾曲面１４０の中間点においてダボ１２２から半径方向に突出する。
【００５７】
図１０〜図１１のブラシロール１２０は、さらに、図８〜図９のブラシロール９０と同様の方法で、巻き付いた毛髪を切断するためのはさみまたは他の手持ち式切断器具などの二次的装置を収容するように設計され得ることを理解されたい。１つの態様では、リブ１０６および／またはチャネル１０８をダボ１２２に設けることができる。
【００５８】
図１２〜図１３は、本開示の第４の態様によるブラシロール１５０を示す。ブラシロール１５０は、上述のように図３の電気掃除機１０と共に、または他の電気掃除機および付属ツールと共に使用することができ、以下でさらに詳細に説明するように、鋭角でタフト（房）状になっている、片寄らせられ、広がったブリストルタフトを有することによってブラシロール１２０の第３の態様と異なる。
【００５９】
ブラシロール１５０は、ダボ１５２を通って長軸方向に延びる中心回転軸Ｘの周りを回転するように取り付けられるよう構成されたブラシダボ１５２を含む。ブラシダボ１５２は、ダボ１５２の中心を通って延び、その周りでブラシロール１５０が回転する中心回転軸Ｘを画定する細長いシャフト１５４上に取り付けられている。図示のブラシロール１５０は矢印Ｒ方向に回転駆動されるように構成されている。また、シャフト１５４の両端にはベアリング１５６が取り付けられている。作動中、ダボ１５２は、ベアリング１５６上のシャフト１５４の周りを回転する。ベルト係合面（不図示）は、ダボ１５２の周囲に延在することができ、ベルト４８（図３）のようなベルトと連絡することができる。
【００６０】
ブラシダボ１５２は、さらに、ダボ１５２内に突出する１つ以上のブリストル支持体１６０を含む。ブリストル１６２は、ブリストル支持体１６０から突出し、一連の個別のタフトまたは連続したストリップとして提供され得る。ブリストル１６２は、ダボ１５２上に、直線状、傾斜状、螺旋状、またはこれらの組み合わせを含む様々なパターンで配置することができる。
【００６１】
ブラシロール１５０は、巻き付く髪のためのシュラウド表面１６４を設けることによって、作業中のヘアラップを防止するか又はその量を大幅に減少させるように設計されている。シュラウド表面１６４は、より浅いヘアラップ角度を確立するためにブリストル１６２に隣接して設けられ、その利点はブラシロール６０の第１の態様に関して上述した。
【００６２】
図示の態様では、２つのブリストル支持体１６０および各々が複数のブリストル１６２を含むブリストルタフト１６６の２つの対応する列が、ダボ１５２上に設けられており、かつダボ１５２の円周の周りにほぼ螺旋状に延在する。ブラシダボ１５２の外面全体は、共にシュラウド表面１６４を画定する対向する凸状湾曲面１６８と、タフト１６６が突出するブリストル支持体１６０の取り付け面を画定する対向する凹状湾曲面１７０とを含む。
【００６３】
図１３は、図１２のＸＩＩＩ−ＸＩＩＩ線に沿ったブラシロール１５０の断面図である。ブラシダボ１５２は、ダボ１５２の端から端までの部分に沿って延在する中空内部１７２を画定することができる。シャフト１５４は、中空内部１７２内に収容される。ブリストルタフト１６６のためのブリストルホール１７６は、凹状湾曲面１７０内に形成することができる。
【００６４】
１つの非限定的な例では、図１２〜図１３に示すブラシロール１５０を製造するため、ダボ１５２の外側輪郭は、二つ割り型を使用して形成することができ、一方、ダボ１５２の内部は、ねじ抜きコアを使用して内部を取り除くことができる。ブラシロール１５０を二つ割り型で形成するために、ブリストル支持体１６０およびシュラウド表面１６４は、抜取線のためにダボ１５２の端から端までの部分に沿って１８０度以下に延在することに留意されたい。ブリストルホール１７６は、成形後にダボ１５２にドリル加工してダボ１５２内に形成することができ、またダボ１５２と一体的に成形することもできる。ブリストルタフト１６６は、ブリストル１６２をブリストルホール１７６に押し込み、例えばステープル、ウェッジ、またはアンカーのような、しかしこれらに限定されない締結具（不図示）を用いてブリストル１６２を固定することによって、ダボ１５２に組み付けることができる。ダボ１５２は、ポリプロピレン、アクリロニトリル・ブタジエン・スチレン（ＡＢＳ）またはスチレンなどのポリマー材料を含むことができる。ブリストル１６２は、例えば、ナイロンまたはポリエステルなどのポリマー材料を含んでもよく、これにより、通常動作中にブリストル１６２が被洗浄面と接触したときに、屈曲および撓むことができる。他の製造方法を用いて、図１２〜図１３に示すブラシロール１５０を製造することもできる。
【００６５】
上述のように、ブラシロール１５０は、巻き付く髪のためのシュラウド表面１６４を提供することによって、作動中にヘアラップを防止するかまたはその量を大幅に減少させるように設計される。例えば、凹状湾曲面１７０は、主直径Ｄ１よりも下に、従ってシュラウド表面１６４よりも下に凹んでおり、これにより、凹状湾曲面１７０上のブリストル１６２が被洗浄面に接触する際に、ブリストル１６２の先端またはその付近に毛髪を保持しながら、撓むことが可能になる。
【００６６】
図示の態様では、ブラシロール１５０は、２つの集束する表面１６８、１７０が出会う外側コーナー１７８で、凸状シュラウド曲面１６８と交差する凹状湾曲面１７０によって画定されるブリストル支持体１６０をさらに含む。外側コーナー１７８は、本明細書では隆起したエッジ１７８として示されており、その利点は、ブラシロール１２０の第３の態様に関して上述されている。さらに図示の態様では、ブラシロール１５０は、ブラシロール１２０の第３の態様のように半径方向（図１１）ではなく、凹状湾曲面１７０、すなわちブリストルタフト１６６が取り付けられるかまたは固定されるタフト表面に対して鋭角にタフト（房状化）されるブリストルタフト１６６を含む。特に、タフト１６６は、タフト１６６の中心を直交して延びる中心線軸１８０を画定し、その上に位置しており、また凹状タフト面１７０は、凹状タフト面１７０の中心を直交して延びる中心線軸１８２を画定し、さらに軸線１８０、１８２は、ダボ１５２の外側で鋭角１８４に交差する。これは、回転方向Ｒに角度が付けられた各タフト１６６に対して、広げられたまたは角度が付けられた先端又は終端１８６を提供する。
【００６７】
さらに、ブリストルタフト１６６は、凹状湾曲面１７０上で片寄らせる、すなわち、ブラシロール１２０の第３の態様のように（図１１）凹状湾曲面の中心に存在したり、隆起エッジ１４８から等距離に存在するのではなく、１つのエッジ１７８により近い位置にタフト状に配置されるか、または、中心線軸１８２から片寄らせられることとなる。片寄らせられ、角度を付けられたタフト１６６は、ブラシロール１５０を回転させるのに必要な駆動トルクを減少させ、これは、自律型またはロボット型電気掃除機を含む特定の電気掃除機の態様に有用となり得る。図１２〜図１３のブリストルタフト１６６は、両方とも中心線軸１８２から片寄らせられており、また凹状タフト面に対して角度を付けて示されているが、他の構成も考えられる。例えば、ブリストルタフト１６６は、片寄らせられ得るが角度を付けられず、すなわち、中心線軸１８２に平行に配向され得る。あるいは、ブリストルタフト１６６は、中心線軸１８２でタフトされ得る、すなわち、片寄らせられず、図１０〜図１１のように中心線軸に対して半径方向ではなく、中心線軸に対して角度付けされ得る。
【００６８】
図１２〜図１３のブラシロール１５０は、さらに、図８〜図９のブラシロール９０と同様の方法で、巻き付いた毛髪を切断するためのはさみまたは他の手持ち式切断器具などの二次的装置を収容するように設計され得ることを理解されたい。１つの態様では、リブ１０６および／またはチャネル１０８を、ダボ１５２に設けることができる。
【００６９】
ブラシロール６０、９０、１２０、１５０は、本明細書ではモーターによって回転可能に駆動されるものとして説明されているが、ブラシロール６０、９０、１２０、１５０は、タービンファンまたは機械的なギアトレインなどのこれらに限定されない他の手段によって駆動され得ることを理解されたい。
【００７０】
本明細書に開示される電気掃除機１０および様々なブラシロール６０、９０、１２０、１５０は、ヘアラップ角度Ａ２が偏向角度Ａ１以下（すなわち、Ａ２≦Ａ１）であるブラシロール設計を含む、本開示のヘアラップ態様の問題を解決する改良型ブラシロール設計を提供する。このようなブラシロールは、ブラシロール上に毛髪をきつく巻き付けるのではなく、掃除機の吸引力によってブラシロールから抜き取ることのできない毛髪を、被洗浄面上に解放する。これらのブラシロールは、作動中のヘアラップを防止またはその量を大幅に減らす機会を提供する。本開示の他の態様には、毛髪を容易にブラシロールから切り落とすことができるブラシロール設計が含まれる。
【００７１】
本開示の態様は、その特定の態様に関連して具体的に説明されてきたが、これは例示のためであって、限定のためではないことを理解されたい。添付の特許請求の範囲で定義される本開示の精神から逸脱することなく、前述の開示および図面の範囲で合理的な変更および修正が可能である。従って、本明細書に開示された態様に関連する特定の寸法及び他の物理的特徴は、特許請求の範囲で明示的に別段の記載をしない限り、限定するものとは考慮されない。
【図１】
2021510329.tif 000003
【図２】
2021510329.tif 000004
【図３】
2021510329.tif 000005
【図４】
2021510329.tif 000006
【図５】
2021510329.tif 000007
【図６】
2021510329.tif 000008
【図７】
2021510329.tif 000009
【図８】
2021510329.tif 000010
【図９】
2021510329.tif 000011
【図１０】
2021510329.tif 000012
【図１１】
2021510329.tif 000013
【図１２】
2021510329.tif 000014
【図１３】
2021510329.tif 000015
【手続補正書】
【提出日】令和2年9月15日(2020.9.15)
【手続補正１】
【補正対象書類名】特許請求の範囲
【補正対象項目名】全文
【補正方法】変更
【補正の内容】
【特許請求の範囲】
【請求項１】
電気掃除機（１０）であって、
アジテーターチャンバー（３８）と、該アジテーターチャンバー（３８）と流体連通する吸引ノズル開口部（４２）とを備える基部（１４）と、
該基部（１４）に旋回可能に取り付けられ、サイクロン分離器（２０）を備えるサイクロン収集システム（１８）を支持する主支持セクション（１６）を備える直立本体（１２）と、
該サイクロン収集システム（１８）と流体連通する吸引源（３６）と、
中心回転軸（Ｘ）の周りの回転運動のために該アジテーターチャンバー（３８）内に配置されたブラシロール（６０、９０、１２０、１５０）と、
を備え、
該ブラシロール（６０、９０、１２０、１５０）は、
ブラシダボ（６２、９２、１２２、１５２）であって、該ブラシダボを貫通して長手方向に延在する該中心回転軸（Ｘ）の周りを回転するように取り付けられており、取り付け面（７８）を画定する対向するブリストル支持体（７０、１０２、１３０、１６０）と、該対向するブリストル支持体（７０、１０２、１３０、１６０）の間に延在する対向する凸状湾曲面（８６、１３８、１６８）を含むシュラウド表面（７４、１３４、１３８、１６４、１６８）と、を備える、ブラシダボと、
対向する各該ブリストル支持体（７０、１０２、１３０、１６０）に固定され、該取り付け面（７８）の１つから突出する複数のブリストルタフト（７６、１１０、１３６、１６６）と、を備え、
該取り付け面（７８）は、該凸状湾曲面（８６、１３８、１６８）と外側コーナー（８８、１４８、１７８）で交差している、電気掃除機（１０）。
【請求項２】
該対向するブリストル支持体（７０、１０２、１３０、１６０）は、該ブラシダボ（６２、９２、１２２、１５２）の周囲で該中心回転軸（Ｘ）に対して螺旋状に延在し、該複数のブリストルタフトの多数のブリストルタフト（７６、１１０、１３６、１６６）が、各ブリストル支持体（７０、１０２、１３０、１６０）に固定され、該取り付け面（７８）上で螺旋状に延在する列内に配置される、請求項１に記載の電気掃除機（１０）。
【請求項３】
該ブラシダボ（６２、９２、１２２、１５２）の外表面は、該対向するブリストル支持体（７０、１０２、１３０、１６０）と、該対向する凸状湾曲面（８６、１３８、１６８）からなる、請求項１又は２に記載の電気掃除機（１０）。
【請求項４】
該ブラシダボ（６２、９２、１２２、１５２）は、第１の対称軸と、該第１の対称軸に直交する第２の対称軸とを備える、請求項１から３のいずれか一項に記載の電気掃除機（１０）。
【請求項５】
該取り付け面（７８）は、該中心回転軸（Ｘ）に向かって該シュラウド表面（７４、１３４、１３８、１６４、１６８）よりも下方で内方に引っ込んでいる、請求項１から４のいずれか一項に記載の電気掃除機（１０）。
【請求項６】
該取り付け面（７８）は、該外側コーナー（１４８、１７８）間に延在する凹状湾曲面（１４０、１７０）を有し、該複数のブリストルタフトのいくつかのブリストルタフト（１３６、１６６）は、該外側コーナー（１４８、１７８）間の該凹状湾曲面（１４０、１７０）から突出する、請求項５に記載の電気掃除機（１０）。
【請求項７】
該複数のブリストルタフトのいくつかのブリストルタフト（１６６）は、各ブリストルタフト（１６６）が該外側コーナー（１７８）から等距離にならないように、該凹状湾曲面（１７０）上で片寄らせられている、請求項６に記載の電気掃除機（１０）。
【請求項８】
該複数のブリストルタフト（１６６）の各々は、該ブリストルタフト（１６６）の中心を直交して延びる中心線軸（１８０）上にあり、該凹状湾曲面（１７０）の各々は、該凹状湾曲面（１７０）の中心を直交して延びる中心線軸（１８２）を画定し、１つのブリストルタフト（１６６）の該中心線軸（１８０）と、該関連する凹状湾曲面（１７０）の該中心線軸（１８２）とが、該ブラシダボ（１５２）の外側で鋭角（１８４）に交差する、請求項６に記載の電気掃除機（１０）。
【請求項９】
各ブリストルタフト（１６６）は、該外側コーナー（１７８）から等距離でないように、該複数のブリストルタフトのいくつかのブリストルタフト（１６６）が該凹状湾曲面（１７０）上で片寄らせられている、請求項８に記載の電気掃除機（１０）。
【請求項１０】
該電気掃除機（１０）は、直立型電気掃除機、キャニスター型電気掃除機、スティック型電気掃除機、自律型電気掃除機、又は手持ち式電気掃除機のいずれかである、請求項１から９のいずれか一項に記載の電気掃除機（１０）。
【請求項１１】
電気掃除機（１０）用ブラシロール（６０、９０、１２０、１５０）であって、
ブラシダボ（６２、９２、１２２、１５２）を長手方向に貫通する中心回転軸（Ｘ）を中心として回転するように取り付けられている該ブラシダボ（６２、９２、１２２、１５２）であって、取り付け面（７８）を画定する対向するブリストル支持体（７０、１０２、１３０、１６０）と、該対向するブリストル支持体（７０、１０２、１３０、１６０）の間に延在する対向する凸状湾曲面（８６、１３８、１６８）を含むシュラウド表面（７４、１３４、１３８、１６４、１６８）と、を備える、ブラシダボと、
該対向するブリストル支持体（７０、１０２、１３０、１６０）のそれぞれに固定され、該取り付け面（７８）の１つから突出する複数のブリストルタフト（７６、１１０、１３６、１６６）と、
を備え、
該取付け面（７８）は、該凸状湾曲面（８６、１３８、１６８）と外側コーナー（８８、１４８、１７８）で交差している、電気掃除機（１０）用ブラシロール（６０、９０、１２０、１５０）。
【請求項１２】
該対向するブリストル支持体（７０、１０２、１３０、１６０）は、該ブラシダボ（６２、９２、１２２、１５２）の周囲で該中心回転軸（Ｘ）に対して螺旋状に延在し、該複数のブリストルタフトの多数のブリストルタフト（７６、１１０、１３６、１６６）は、各ブリストル支持体（７０、１０２、１３０、１６０）に固定され、該取り付け面（７８）上で螺旋状に延在する列内に配置される、請求項１１に記載の ブラシロール（６０、９０、１２０、１５０）。
【請求項１３】
該複数のブリストルタフト（７６、１１０、１３６、１６６）は、該ブラシダボ（６２、９２、１２２、１５２）上に直線状、傾斜状、または螺旋状の内の１つのパターンで配置される、請求項１１又は１２に記載のブラシロール（６０、９０、１２０、１５０）。
【請求項１４】
該ブラシダボ（６２、９２、１２２、１５２）の外表面は、該対向するブリストル支持体（７０、１０２、１３０、１６０）及び該対向する凸状湾曲面（８６、１３８、１６８）から成る、請求項１１から１３のいずれか一項に記載のブラシロール（６０、９０、１２０、１５０）。
【請求項１５】
該ブラシダボ（６２、９２、１２２、１５２）は、第１の対称軸と、該第１の対称軸に直交する第２の対称軸とを備える、請求項１１から１４のいずれか一項に記載のブラシロール（６０、９０、１２０、１５０）。
【請求項１６】
該取り付け面（７８）は、該中心回転軸（Ｘ）に向かって該シュラウド表面（７４、１３４、１３８、１６４、１６８）より下に、内方に引っ込んでいる、請求項１１から１５のいずれか一項に記載のブラシロール（６０、９０、１２０、１５０）。
【請求項１７】
該取り付け面（７８）は、該外側コーナー（１４８、１７８）間に延在する凹状湾曲面（１４０、１７０）を含み、該複数のブリストルタフトのいくつかのブリストルタフト（１３６、１６６）は、該外側コーナー（１４８、１７８）間の該凹状湾曲面（１４０、１７０）から突出する、請求項１６に記載のブラシロール（１２０、１５０）。
【請求項１８】
各ブリストルタフト（１６６）が該外側コーナー（１７８）から等距離でないように、該複数のブリストルタフトのいくつかのブリストルタフト（１６６）が該凹状湾曲表面（１７０）上で片寄らせられている、請求項１７に記載のブラシロール（１５０）。
【請求項１９】
該複数のブリストルタフト（１６６）の各々は、該ブリストルタフト（１６６）の中心を直交して延びる中心線軸（１８０）上にあり、また該凹状湾曲面（１７０）の該各々は、該凹状湾曲面（１７０）の該中心を直交して延びる中心線軸（１８２）を画定し、さらに１つのブリストルタフト（１６６）の該中心線軸（１８０）と、該関連する凹状湾曲面（１７０）の該中心線軸（１８２）とが、該ブラシダボ（１５２）の外側に鋭角（１８４）で交差する、請求項１７に記載のブラシロール（１５０）。
【請求項２０】
各ブリストルタフト（１６６）が該外側コーナー（１７８）から等距離でないように、該複数のブリストルタフト（１６６）のいくつかのブリストルタフトが該凹状湾曲面（１７０）上で片寄らせられている、請求項１９に記載のブラシロール（１５０）。
【国際調査報告】
2021510329.tif 000016
2021510329.tif 000017